【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
第１の時点と第２の時点とでそれぞれ測定された植物の重量を、二酸化炭素吸収量を取得するための重量として取得する重量取得部と、
前記重量取得部が取得した前記第１の時点で測定された重量と前記第２の時点で測定された重量との差分に基づいて、前記第１の時点から前記第２の時点までの前記植物の前記二酸化炭素吸収量を取得する二酸化炭素吸収量取得部と、
を備える、
ことを特徴とする二酸化炭素吸収量取得装置。
【請求項２】
複数の日に亘る期間内の複数の時点における前記植物の重量を測定する重量測定部を備え、
前記重量取得部は、前記重量測定部が前記複数の時点において測定した重量の中から、第１の日における前記第１の時点と、前記第１の日よりも後日の第２の日における前記第２の時点と、でそれぞれ測定された重量を、前記二酸化炭素吸収量を取得するための重量として取得し、
前記二酸化炭素吸収量取得部は、前記重量取得部が取得した前記第１の時点で測定された重量と前記第２の時点で測定された重量との前記差分に基づいて、前記第１の日から前記第２の日までの前記植物の前記二酸化炭素吸収量を取得する、
ことを特徴とする請求項１に記載の二酸化炭素吸収量取得装置。
【請求項３】
前記重量取得部は、前記重量測定部が前記複数の時点において測定した重量の中から、前記第１の日と前記第２の日とにおいて重量の変化の度合が合致する時点で測定された重量を、それぞれ前記第１の時点と前記第２の時点とで測定された前記植物の重量として取得する、
ことを特徴とする請求項２に記載の二酸化炭素吸収量取得装置。
【請求項４】
前記重量取得部は、前記重量測定部が前記複数の時点において測定した重量の中から、前記第１の日において重量が極大となる時点で測定された重量と、前記第２の日において重量が極大となる時点で測定された重量とを、それぞれ前記第１の時点と前記第２の時点とで測定された前記植物の重量として取得する、
ことを特徴とする請求項３に記載の二酸化炭素吸収量取得装置。
【請求項５】
前記重量取得部は、日ごとに、日没後の夕方から夜までの期間における所定時刻において、重量を取得する、
ことを特徴とする請求項４に記載の二酸化炭素吸収量取得装置。
【請求項６】
前記重量取得部は、前記重量測定部が前記複数の時点において測定した重量の中から、前記第１の日において重量が極小となる時点で測定された重量と、前記第２の日において重量が極小となる時点で測定された重量とを、それぞれ前記第１の時点と前記第２の時点とで測定された前記植物の重量として取得する、
ことを特徴とする請求項３に記載の二酸化炭素吸収量取得装置。
【請求項７】
前記重量取得部は、前記重量測定部が前記複数の時点において測定した重量の中から、前記第１の日と前記第２の日とにおいて同時刻で測定された重量を、それぞれ前記第１の時点と前記第２の時点とで測定された前記植物の重量として取得する、
ことを特徴とする請求項２に記載の二酸化炭素吸収量取得装置。
【請求項８】
前記二酸化炭素吸収量取得部が取得した前記二酸化炭素吸収量を、二酸化炭素の削減量の目標値と比較して表示する表示部、を備える、
ことを特徴とする請求項１乃至７のいずれか１項に記載の二酸化炭素吸収量取得装置。
【請求項９】
前記二酸化炭素吸収量取得部は、前記第１の時点で測定された前記植物の重量と前記第２の時点で測定された前記植物の重量との前記差分に基づいて、前記植物によるデンプン又はセルロースの生成重量を算出し、前記デンプン又は前記セルロースの前記生成重量に基づいて、前記第１の時点から前記第２の時点までの前記植物の前記二酸化炭素吸収量を取得する、
ことを特徴とする請求項１乃至８のいずれか１項に記載の二酸化炭素吸収量取得装置。
【請求項１０】
前記二酸化炭素吸収量取得部は、前記第１の時点で測定された前記植物の重量と前記第２の時点で測定された前記植物の重量との前記差分に基づいて、前記第１の時点において前記植物が保有する水及び水溶性肥料の重量と前記第２の時点において前記植物が保有する前記水及び前記水溶性肥料の重量との差分を排除しながら、前記第１の時点から前記第２の時点までの前記植物の前記二酸化炭素吸収量を取得する、
ことを特徴とする請求項１乃至９のいずれか１項に記載の二酸化炭素吸収量取得装置。
【請求項１１】
第１の時点と第２の時点とでそれぞれ測定された植物の重量を、二酸化炭素吸収量を取得するための重量として取得し、
前記第１の時点で測定された前記植物の重量と前記第２の時点で測定された前記植物の重量との差分に基づいて、前記植物によるデンプン又はセルロースの生成重量を算出し、
前記デンプン又は前記セルロースの前記生成重量に基づいて、前記第１の時点から前記第２の時点までの前記植物の前記二酸化炭素吸収量を取得する、
ことを含む、
ことを特徴とする二酸化炭素吸収量取得方法。
【請求項１２】
第１の時点と第２の時点とでそれぞれ測定された植物の重量を、二酸化炭素吸収量を取得するための重量として取得し、
前記第１の時点で測定された前記植物の重量と前記第２の時点で測定された前記植物の重量との差分に基づいて、前記第１の時点において前記植物が保有する水及び水溶性肥料の重量と前記第２の時点において前記植物が保有する前記水及び前記水溶性肥料の重量との差分を排除しながら、前記第１の時点から前記第２の時点までの前記植物の前記二酸化炭素吸収量を取得する、
ことを含む、
ことを特徴とする二酸化炭素吸収量取得方法。
【請求項１３】
複数の日に亘る期間内の複数の時点における植物の重量を測定し、
前記複数の時点において測定した重量の中から、第１の時点と第２の時点とでそれぞれ測定された重量を、二酸化炭素吸収量を取得するための重量として取得し、
前記第１の時点で測定された重量と前記第２の時点で測定された重量との差分に基づいて、前記第１の時点から前記第２の時点までの前記植物の前記二酸化炭素吸収量を取得する、
ことを含む、
ことを特徴とする二酸化炭素吸収量取得方法。
【請求項１４】
コンピュータに、
第１の時点と第２の時点とでそれぞれ測定された植物の重量を、二酸化炭素吸収量を取得するための重量として取得させ、
前記第１の時点で測定された重量と前記第２の時点で測定された重量との差分に基づいて、前記第１の時点から前記第２の時点までの前記植物の前記二酸化炭素吸収量を取得させる、
ことを特徴とするプログラム。
【手続補正２】
【補正対象書類名】明細書
【補正対象項目名】０００７
【補正方法】変更
【補正の内容】
【０００７】
本発明は、以上のような課題を解決するためのものであり、植物の生育を阻害することなく、高精度に植物の二酸化炭素吸収量を取得する二酸化炭素吸収量取得装置、二酸化炭素吸収量取得方法及びプログラムを提供することを目的とする。
【手続補正３】
【補正対象書類名】明細書
【補正対象項目名】０００８
【補正方法】変更
【補正の内容】
【０００８】
前記目的を達成するため、本発明に係る二酸化炭素吸収量取得装置の一態様は、
第１の時点と第２の時点とでそれぞれ測定された植物の重量を、二酸化炭素吸収量を取得するための重量として取得する重量取得部と、
前記重量取得部が取得した前記第１の時点で測定された重量と前記第２の時点で測定された重量との差分に基づいて、前記第１の時点から前記第２の時点までの前記植物の前記二酸化炭素吸収量を取得する二酸化炭素吸収量取得部と、
を備える、
ことを特徴とする。
【手続補正４】
【補正対象書類名】明細書
【補正対象項目名】０００９
【補正方法】変更
【補正の内容】
【０００９】
また、前記目的を達成するため、本発明に係る二酸化炭素吸収量取得方法の一態様は、
第１の時点と第２の時点とでそれぞれ測定された植物の重量を、二酸化炭素吸収量を取得するための重量として取得し、
前記第１の時点で測定された前記植物の重量と前記第２の時点で測定された前記植物の重量との差分に基づいて、前記植物によるデンプン又はセルロースの生成重量を算出し、
前記デンプン又は前記セルロースの前記生成重量に基づいて、前記第１の時点から前記第２の時点までの前記植物の前記二酸化炭素吸収量を取得する、
ことを含む、
ことを特徴とする。
【手続補正５】
【補正対象書類名】明細書
【補正対象項目名】００１０
【補正方法】変更
【補正の内容】
【００１０】
また、前記目的を達成するため、本発明に係る二酸化炭素吸収量取得方法の一態様は、
第１の時点と第２の時点とでそれぞれ測定された植物の重量を、二酸化炭素吸収量を取得するための重量として取得し、
前記第１の時点で測定された前記植物の重量と前記第２の時点で測定された前記植物の重量との差分に基づいて、前記第１の時点において前記植物が保有する水及び水溶性肥料の重量と前記第２の時点において前記植物が保有する前記水及び前記水溶性肥料の重量との差分を排除しながら、前記第１の時点から前記第２の時点までの前記植物の前記二酸化炭素吸収量を取得する、
ことを含む、
ことを特徴とする。
【手続補正６】
【補正対象書類名】明細書
【補正対象項目名】００１１
【補正方法】変更
【補正の内容】
【００１１】
また、前記目的を達成するため、本発明に係る二酸化炭素吸収量取得方法の一態様は、
複数の日に亘る期間内の複数の時点における植物の重量を測定し、
前記複数の時点において測定した重量の中から、第１の時点と第２の時点とでそれぞれ測定された重量を、二酸化炭素吸収量を取得するための重量として取得し、
前記第１の時点で測定された重量と前記第２の時点で測定された重量との差分に基づいて、前記第１の時点から前記第２の時点までの前記植物の前記二酸化炭素吸収量を取得する、
ことを含む、
ことを特徴とする。
【手続補正７】
【補正対象書類名】明細書
【補正対象項目名】００１２
【補正方法】変更
【補正の内容】
【００１２】
また、前記目的を達成するため、本発明に係るプログラムの一態様は、
コンピュータに、
第１の時点と第２の時点とでそれぞれ測定された植物の重量を、二酸化炭素吸収量を取得するための重量として取得させ、
前記第１の時点で測定された重量と前記第２の時点で測定された重量との差分に基づいて、前記第１の時点から前記第２の時点までの前記植物の前記二酸化炭素吸収量を取得させる、
ことを特徴とする。
【手続補正８】
【補正対象書類名】明細書
【補正対象項目名】００１３
【補正方法】変更
【補正の内容】
【００１３】
本発明によれば、植物の生育を阻害することなく、高精度に植物の二酸化炭素吸収量を取得することができる。
【手続補正９】
【補正対象書類名】明細書
【補正対象項目名】００２５
【補正方法】変更
【補正の内容】
【００２５】
二酸化炭素吸収量取得装置１００は、機能的には図２に示すように構成される。二酸化炭素吸収量取得装置１００は、入力部１０１と、計時部１０２と、重量測定部１０３と、重量記憶部１０４と、重量取得部１０５と、二酸化炭素吸収量取得部１０６と、二酸化炭素吸収量記憶部１０７と、表示部１０８と、を備える。重量記憶部１０４と、二酸化炭素吸収量記憶部１０７と、は外部記憶装置３に構築されている。
【手続補正１０】
【補正対象書類名】明細書
【補正対象項目名】００３３
【補正方法】変更
【補正の内容】
【００３３】
このように周期的に変動する合計重量の測定結果から、所定期間中に生成されたデンプン又はセルロースの重量を精度よく算出するには、重量取得部１０５は、植物が保有する水と水溶性肥料の重量が同じ（又はほぼ同じ）時点でそれぞれ測定された合計重量の差分をとることにより、合計重量の差分に、水と水溶性肥料の重量の差分がなるべく含まれないようにしなければならない。そして、互いに異なる日のそれぞれにおいて、合計重量が極大となる時点においては、植物が保有する水と水溶性肥料の重量はほぼ同じであると見積もることができる。従って、互いに異なる日のそれぞれにおいて、合計重量が極大となる時点で測定された合計重量の差分は、これらの時点間で植物が生成したデンプン又はセルロースの重量に相当すると推測することができる。
【手続補正１１】
【補正対象書類名】明細書
【補正対象項目名】００３５
【補正方法】変更
【補正の内容】
【００３５】
図２に戻り、二酸化炭素吸収量取得部１０６は、重量取得部１０５が取得した合計重量の差分に基づいて、互いに異なる日のそれぞれにおいて合計重量が極大となる時点間における植物の二酸化炭素吸収量を取得する。以下、合計重量の差分から二酸化炭素吸収量を取得する方法を説明する。
【手続補正１２】
【補正対象書類名】明細書
【補正対象項目名】００３６
【補正方法】変更
【補正の内容】
【００３６】
植物が光合成を行うと、以下の化学反応式で表される化学反応が起こる。
［化学反応式］
６ｎＣＯ２＋５ｎＨ２Ｏ→（Ｃ６Ｈ１０Ｏ５）ｎ＋６ｎＯ２
ここで、ｎは、１以上の整数を示す。また、（Ｃ６Ｈ１０Ｏ５）ｎは、デンプン（αグルコース）又はセルロース（βグルコース）を示す。デンプンとグルコースは、どちらも同じ化学式で表される。デンプンは、栄養として植物に蓄えられており、燃焼して植物が活動するためのエネルギーとなる。セルロースは、植物の細胞に変わる。
【手続補正１３】
【補正対象書類名】明細書
【補正対象項目名】００５８
【補正方法】変更
【補正の内容】
【００５８】
以上説明したように、本実施形態に係る二酸化炭素吸収量取得装置１００は、二酸化炭素吸収量取得処理が開始された日において、合計重量（植物の重量とホルダの重量との合計）が極大となる時点で測定された合計重量と、その前日において、合計重量が極大となる時点で測定された合計重量と、を取得し、これらの合計重量の差分をとる。上述したように、二酸化炭素吸収量取得処理が開始された日において合計重量が極大となる時点における水及び水溶性肥料の重量と、その前日において合計重量が極大となる時点における水及び水溶性肥料の重量と、はほぼ合致すると見積もることができる。従って、合計重量の差分は、水及び水溶性肥料の重量の差分をほとんど含まないと推測することができる。そのため、合計重量の差分は、二酸化炭素吸収量取得処理が開始された日において合計重量が極大となる時点からその前日において合計重量が極大となる時点までに植物が生成したデンプン又はセルロースの重量に相当すると推測することができる。従って、二酸化炭素吸収量取得装置１００は、高精度に植物の二酸化炭素吸収量を取得できる。
【手続補正１４】
【補正対象書類名】明細書
【補正対象項目名】００６２
【補正方法】変更
【補正の内容】
【００６２】
例えば、上記実施形態では、重量取得部１０５は、二酸化炭素吸収量取得処理が開始された日において、合計重量（植物の重量とホルダの重量との合計）が極大となる時点で測定された合計重量と、その前日において、合計重量が極大となる時点で測定された合計重量と、を取得した。この場合、合計重量が極大となる時点で植物が保有する水と水溶性肥料の重量はおおよそ同じであるため、二酸化炭素吸収量取得部１０６は、合計重量の差分から高精度に二酸化吸収量を見積もることができた。しかし、合計重量が極大となる時点に限らず、合計重量の変化の度合が合致する時点であればどのような時点であっても、植物が保有する水と水溶性肥料の重量はおおよそ同じであると推測することができる。従って、本発明では、重量取得部１０５は、合計重量が極小となる時点で測定された合計重量をそれぞれ取得してもよいし、極大又は極小となる時点以外の時点であっても、変化の度合が合致する時点であれば、どのような時点で測定された合計重量をそれぞれ取得してもよい。
また、上述したように、植物は、水の吸収と放散、水溶性肥料の吸収と消費とを１日周期で繰り返している。そのため、互いに異なる日であっても同時刻であれば、植物が保有する水と水溶性肥料の重量はおおよそ同じであると推測することができる。従って、本発明では、重量取得部１０５は、二酸化炭素吸収量取得処理が開始された日とその前日とにおいて同時刻で測定された合計重量をそれぞれ取得してもよい。この場合、上記実施形態のように、複数の時点で測定された合計重量を比較して、合計重量の変化の度合が合致する時点（例えば合計重量が極大又は極小となる時点）を特定する必要がない。そのため、より簡単に、植物の二酸化炭素吸収量を取得することができる。